(57)【要約】【課題】対応しない充電装置が蓄電装置に接続された場合に二次電池が充電されることを防止できる蓄電装置を提供する。【解決手段】二次電池１１と、二次電池１１に電力線ＬＥＰを通じて接続する電力線コネクタ１８と、電力線ＬＥＰに設置されたスイッチ１４と、通信回路１３と、通信回路１３に通信線ＬＣを通じて接続する通信線コネクタ１９と、電力線コネクタ１８及び通信線コネクタ１９の内の一方を介して出力された第１の信号が電力線コネクタ１８及び通信線コネクタ１９の内の他方を介して入力したことを検知した場合にスイッチ１４をオンにし、電力線コネクタ１８及び通信線コネクタ１９の内の一方を介して出力された第１の信号が電力線コネクタ１８及び通信線コネクタ１９の内の他方を介して入力したことを検知しない場合にスイッチ１４をオフにする制御部１２とを備えて蓄電装置１を構成する。【選択図】図１
2018064357.tif 000002
【特許請求の範囲】
【請求項１】
二次電池と、
前記二次電池に電力線を通じて接続する電力線コネクタと、
前記電力線に設置されたスイッチと、
通信回路と、
前記通信回路に通信線を通じて接続する通信線コネクタと、
前記電力線コネクタ及び前記通信線コネクタの内の一方を介して出力された第１の信号が前記電力線コネクタ及び前記通信線コネクタの内の他方を介して入力したことを検知した場合に前記スイッチをオンにし、前記電力線コネクタ及び前記通信線コネクタの内の一方を介して出力された前記第１の信号が前記電力線コネクタ及び前記通信線コネクタの内の他方を介して入力したことを検知しない場合に前記スイッチをオフにする制御部と
を含む、蓄電装置。
【請求項２】
請求項１に記載の蓄電装置であって、
前記電力線コネクタ及び前記通信線コネクタの内の一方を介して出力された前記第１の信号が前記電力線コネクタ及び前記通信線コネクタの内の他方を介して入力したことを検知せず、且つ前記通信線コネクタを介して前記蓄電装置に接続された充電装置又は負荷装置と前記通信回路が通信しない又は／及び前記二次電池からの出力電流が所定時間の間所定値以下である場合に、前記制御部は前記スイッチをオフにする
蓄電装置。
【請求項３】
請求項１に記載の蓄電装置であって、
発光素子に電力を供給する電源に接続する高電位電源線に一端が接続し、前記電力線の低電位電力線に他端が接続する前記発光素子と、
前記第１の信号が流れて前記発光素子が点灯すると導通する受光素子であって、前記制御部の第１の信号入力端に一端が接続し、前記電源に接続する低電位電源線に他端が接続する前記受光素子と、
前記高電位電源線に一端が接続し、前記制御部の前記第１の信号入力端と前記受光素子の前記一端とに他端が接続する検知抵抗と
を更に含み、
前記制御部は、前記高電位電源線から前記第１の信号入力端に入力した信号の信号レベルが低い場合に前記スイッチをオンにし、前記第１の信号入力端に入力した前記信号の信号レベルが高い場合に前記スイッチをオフにする
蓄電装置。
【請求項４】
請求項１に記載の蓄電装置であって、
発光素子に電力を供給する電源に接続する高電位電源線に一端が接続し、前記電力線の低電位電力線に他端が接続する前記発光素子と、
前記第１の信号が流れて前記発光素子が点灯すると導通する受光素子であって、前記高電位電源線と前記制御部の第１の信号入力端とに一端が接続する前記受光素子と、
前記低電位電源線に一端が接続し、前記受光素子の他端に他端が接続する検知抵抗と
を更に含み、
前記制御部は、前記高電位電源線から前記第１の信号入力端に入力した信号の信号レベルが高い場合に前記スイッチをオンにし、前記第１の信号入力端に入力した前記信号の信号レベルが低い場合に前記スイッチをオフにする
蓄電装置。
【請求項５】
請求項３又は４に記載の蓄電装置であって、
前記制御部は、前記通信線コネクタを介して出力された第２の信号が前記通信線コネクタを介して入力したことを検知しない場合に、前記電源の動作を停止させる
蓄電装置。
【請求項６】
請求項５に記載の蓄電装置であって、
前記制御部の第２の信号入力端に一端が接続され、前記通信線コネクタと他端が接続された高電位検知線と、
前記通信線コネクタを介して前記蓄電装置に充電装置又は負荷装置が接続されると前記高電位検知線に接続する低電位検知線であって、前記低電位電源線に一端が接続され、前記通信線コネクタに他端が接続された前記低電位検知線と、
前記高電位電源線に一端が接続され、前記高電位検知線に他端が接続されたプルアップ抵抗と
を更に含み、
前記制御部は、前記高電位電源線から前記第２の信号入力端に入力した前記第２の信号の信号レベルが高い場合に前記電源の動作を停止させ、前記第２の信号の信号レベルが低い場合に前記電源の起動する
蓄電装置。
【請求項７】
請求項５に記載の蓄電装置であって、
前記高電位電源線に一端が接続され、前記通信線コネクタに他端が接続された高電位検知線と、
前記通信線コネクタを介して前記蓄電装置に充電装置又は負荷装置が接続されると前記高電位検知線に接続する低電位検知線であって、前記制御部の第２の信号入力端に一端が接続され、前記通信線コネクタに他端が接続された低電位検知線と、
前記低電位検知線に一端が接続され、前記低電位電源線に他端が接続されたプルダウン抵抗と
を更に含み、
前記制御部は、前記第２の信号入力端に入力した前記第２の信号の信号レベルが低い場合に前記電源の動作を停止させ、前記第２の信号の信号レベルが高い場合に前記電源の起動する
蓄電装置。
【請求項８】
請求項１に記載の蓄電装置であって、
前記制御部の信号出力端に一端が接続し、第２の発光素子に電力を供給する電源に接続する低電位電源線に他端が接続する第１の発光素子と、
前記信号出力端から信号が流れて前記第１の発光素子が点灯すると導通する第１の受光素子であって、前記電源に接続する高電位電源線に一端が接続する前記第１の受光素子と、
前記第１の受光素子の他端に一端が接続し、前記電力線の低電位電力線に他端が接続する第２の発光素子と、
前記第１の受光素子が導通し且つ前記第１の信号が流れて前記第２の発光素子が点灯すると、導通する第２の受光素子であって、前記制御部の第１の信号入力端に一端が接続し、前記低電位電源線に他端が接続する前記第２の受光素子と、
前記高電位電源線に一端が接続し、前記制御部の前記第１の信号入力端と前記第２の受光素子の前記一端とに他端が接続する検知抵抗と
を更に含み、
前記制御部は、
前記信号出力端からパルス信号を出力し、
前記高電位電源線から前記第１の信号入力端に入力した信号の信号レベルが低い場合に前記スイッチをオンにし、前記第１の信号入力端に入力した前記信号の信号レベルが高い場合に前記スイッチをオフにする
蓄電装置。
【請求項９】
請求項１に記載の蓄電装置であって、
前記制御部の信号出力端に一端が接続し、第２の発光素子に電力を供給する電源に接続する低電位電源線に他端が接続する第１の発光素子と、
前記信号出力端から信号が流れて前記第１の発光素子が点灯すると導通する第１の受光素子であって、前記電源に接続する高電位電源線に一端が接続する前記第１の受光素子と、
前記第１の受光素子の他端に一端が接続し、前記電力線の低電位電力線に他端が接続する第２の発光素子と、
前記第１の受光素子が導通し且つ前記第１の信号が流れて前記第２の発光素子が点灯すると、導通する第２の受光素子であって、前記高電位電源線と前記制御部の第１の信号入力端とに一端が接続する前記第２の受光素子と、
前記低電位電源線に一端が接続し、前記第２の受光素子の他端に他端が接続する検知抵抗と
を更に含み、
前記制御部は、
前記信号出力端からパルス信号を出力し、
前記高電位電源線から前記第１の信号入力端に入力した信号の信号レベルが高い場合に前記スイッチをオンにし、前記第１の信号入力端に入力した前記信号の信号レベルが低い場合に前記スイッチをオフにする
蓄電装置。
【請求項１０】
請求項１に記載の蓄電装置であって、
前記制御部の信号出力端に一端が接続し、前記電力線の低電位電力線に他端が接続する第１のコンデンサと、
前記通信回路に電力を供給する電源に接続する低電位電源線に一端が接続し、前記制御部の信号入力端に他端が接続する第２のコンデンサと、
前記第２のコンデンサの他端と前記信号入力端とに一端が接続し、前記電源に接続する低電位電源線に他端が接続する検知抵抗と
を更に含み、
前記制御部は、前記信号出力端から出力されたパルス信号である前記第１の信号が前記信号入力端に入力した場合に前記スイッチをオンにし、前記パルス信号である前記第１の信号が前記信号入力端に入力しない場合に前記スイッチをオフにする
蓄電装置。
【請求項１１】
請求項３〜９の何れか一項に記載の蓄電装置であって、
前記低電位電源線に一端が接続し、前記低電位電力線に他端が接続する保護回路であって、前記電力線の低電位電力線と前記低電位電源線との電位差が所定値を超えると、前記低電位電源線から前記低電位電力線に電流を流す前記保護回路
を更に含む蓄電装置。
【発明の詳細な説明】
【技術分野】
【０００１】
本発明は、蓄電装置に関する。
【背景技術】
【０００２】
鉛電池やリチウムイオン電池といった様々な種類の二次電池は、夫々の特性が異なる。そのため、例えば、鉛電池に対応する充電装置でリチウムイオン電池を充電した場合、蓄電装置内のリレーやリチウムイオン電池は、過電流によって故障する可能性がある。それ故、二次電池は、当該二次電池に対応する充電装置により充電する必要がある。
【０００３】
なお、関連する技術として、特許文献１及び２に記載の技術が知られている。
【先行技術文献】
【特許文献】
【０００４】
【特許文献１】特開２０１４−０５０１３８号公報
【特許文献２】特開昭６１−１５５９６７号公報
【発明の概要】
【発明が解決しようとする課題】
【０００５】
しかしながら、充電装置の接続コネクタが二次電池の種類に関係なく同じ形状であると、対応しない充電装置が蓄電装置に接続されて、対応しない充電装置により二次電池が充電されてしまう虞がある。
【０００６】
具体的には、例えば、リチウムイオン電池を含む蓄電装置、及びリチウムイオン電池対応の充電装置は、電力線コネクタ及び通信線コネクタを夫々備える。一方、鉛電池を含む蓄電装置、及び鉛電池対応の充電装置は、電力線コネクタを夫々備えるが、通信線コネクタを備えない。このため、リチウムイオン電池を含む蓄電装置の電力線コネクタに鉛電池対応の充電装置の電力線コネクタが接続されたとしても、蓄電装置の通信線コネクタが未接続状態であれば、リチウムイオン電池は鉛電池対応の充電装置により充電されない。
【０００７】
しかしながら、リチウムイオン電池を含む蓄電装置の通信線コネクタがリチウムイオン電池対応の負荷装置又は充電装置の通信線コネクタに接続された状態で、蓄電装置の電力線コネクタが鉛電池対応の充電装置の電力線コネクタに接続されるケースが起こり得る。こうしたケースでは、リチウムイオン電池を含む蓄電装置の電力線コネクタ及び通信線コネクタは接続状態にあるため、リチウムイオン電池は鉛電池対応の充電装置により充電される虞がある。
【０００８】
本発明の一側面に係る目的は、対応しない充電装置が蓄電装置に接続された場合に二次電池が充電されることを防止できる蓄電装置を提供することである。
【課題を解決するための手段】
【０００９】
本発明に係る一つの形態である蓄電装置は、二次電池と、二次電池に電力線を通じて接続する電力線コネクタと、電力線に設置されたスイッチと、通信回路と、通信回路に通信線を通じて接続する通信線コネクタと、制御部とを含む。制御部は、電力線コネクタ及び通信線コネクタの内の一方を介して出力された第１の信号が電力線コネクタ及び通信線コネクタの内の他方を介して入力したことを検知した場合にスイッチをオンにする。また、制御部は、電力線コネクタ及び通信線コネクタの内の一方を介して出力された第１の信号が電力線コネクタ及び通信線コネクタの内の他方を介して入力したことを検知しない場合にスイッチをオフにする。
【発明の効果】
【００１０】
一実施形態に従った蓄電装置によれば、対応しない充電装置が蓄電装置に接続された場合に二次電池が充電されることを防止できる。
【図面の簡単な説明】
【００１１】
【図１】第１の実施形態に従った蓄電装置、及び対応する負荷装置又は充電装置の第１の構成例を示す図である。
【図２】図１に示す蓄電装置に含まれる第１の電源及び第２の電源が一体化された場合の構成例を示す図である。
【図３】第１の実施形態に従った蓄電装置、及び対応する負荷装置又は充電装置の第２の構成例を示す図である。
【図４】第２の実施形態に従った蓄電装置、及び対応する負荷装置又は充電装置の第１の構成例を示す図である。
【図５】第２の実施形態に従った蓄電装置、及び対応する負荷装置又は充電装置の第２の構成例を示す図である。
【図６】第３の実施形態に従った蓄電装置、及び対応する負荷装置又は充電装置の構成例を示す図である。
【図７】第４の実施形態に従った蓄電装置、及び対応する負荷装置又は充電装置の構成例を示す図である。
【図８】第５の実施形態に従った蓄電装置、及び対応する負荷装置又は充電装置の構成例を示す図である。
【発明を実施するための形態】
【００１２】
以下図面に基づいて実施形態について詳細を説明する。
＜第１の実施形態＞
図１は、第１の実施形態に従った蓄電装置、及び対応する負荷装置又は充電装置の第１の構成例を示す図である。図１に示すように、蓄電装置１は、二次電池１１、制御部１２、通信回路１３、スイッチ１４、第１の電源１５、第２の電源１６、電流センサ１７、電力線コネクタ１８、通信線コネクタ１９、及び逆流防止ダイオードＤを含む。また、蓄電装置１は、光半導体ＯＳ及び検知抵抗ＲＤを更に含む。そして、負荷装置２（又は充電装置２）は、負荷２１（又は電力変換装置２１）、通信回路２２、電力線コネクタ２３、及び通信線コネクタ２４を含む。負荷装置２は、例えば、電気自動車、ハイブリッド車、及び電動フォークリフトといった車両であり、負荷２１は、例えば、インバータ回路及び電動モータである。また、充電装置２は、二次電池１１に対応する充電装置であり、電力変換装置２１は、例えば、インバータ回路である。
【００１３】
二次電池１１は、該二次電池１１を含む蓄電装置１が電力線コネクタ１８及び通信線コネクタ１９を含む二次電池であり、例えば、リチウムイオン電池である。
電力線コネクタ１８は、蓄電装置１内の二次電池１１が負荷装置２へ放電し、充電装置２が該二次電池１１を充電するためのコネクタである。電力線コネクタ１８は、二次電池１１に電力線ＬＥＰを通じて接続し、蓄電装置１側の電力線ＬＥＰを負荷装置２（又は充電装置２）側の電力線ＬＥＰに接続する。電力線ＬＥＰは、所定電位の高電位電力線ＬＥＰＨと、低電位電力線ＬＥＰＬとを含む。
【００１４】
通信線コネクタ１９は、二次電池１１の放電（又は充電）に関する情報を蓄電装置１が負荷装置２（又は充電装置２）と通信するためのコネクタである。通信線コネクタ１９は、通信回路１３に通信線ＬＣを通じて接続し、蓄電装置１側の通信線ＬＣを負荷装置２（又は充電装置２）側の通信線ＬＣに接続する。また、図１に示す構成例では、通信線コネクタ１９は、第２の電源１６に接続する第２の低電位電源線ＬＰＳＬ２に接続する。通信線コネクタ１９が負荷装置２（又は充電装置２）側の通信線コネクタ２４に接続されると、蓄電装置１側の第２の低電位電源線ＬＰＳＬ２は、負荷装置２（又は充電装置２）側の第２の低電位電源線ＬＰＳＬ２に接続される。
【００１５】
制御部１２は、例えば、ＣＰＵ（Central Processing Unit）、マルチコアＣＰＵ、又はプログラマブルなディバイス（ＦＰＧＡ（Field Programmable Gate Array）やＰＬＤ（Programmable Logic Device）等）である。制御部１２は、蓄電装置１全体の動作を制御する。例えば、制御部１２は、電力線コネクタ１８を介して出力された信号（第１の信号）が通信線コネクタ１９を介して入力したことを検知した場合にスイッチ１４をオンにする。また、制御部１２は、電力線コネクタ１８を介して出力された信号（第１の信号）が通信線コネクタ１９を介して入力したことを検知しない場合にスイッチ１４をオフにする。
【００１６】
スイッチ１４は、二次電池１１と電力線コネクタ１８との間の電力線ＬＥＰに設けられる。スイッチ１４は、例えば、機械式リレーであってもよく、半導体リレーであってもよい。
【００１７】
通信回路１３は、蓄電装置１が通信線コネクタ１９を介して負荷装置２（又は充電装置２）に接続されると、制御部１２と連携して、二次電池１１の状態情報等を通信線ＬＣを通じて負荷装置２（又は充電装置２）の通信回路２２と通信する。
【００１８】
第１の電源１５は、制御部１２の電源であり、二次電池１１からの出力電力を基に所望の電力を生成する。第１の電源１５の入力側の一端は、二次電池１１の一端（図１では、正極端子）に接続し、第１の電源１５の出力側の一端は、第１の高電位電源線ＬＰＳＨ１に接続する。第１の電源１５の他端は、第１の低電位電源線ＬＰＳＬ１に接続し、逆流防止ダイオードＤを介して二次電池１１の他端（図１では、負極端子）に接続する。
【００１９】
第２の電源１６は、通信回路１３の電源であり、二次電池１１からの出力電力を基に所望の電力を生成する。また、図１に示す一例では、第２の電源１６は、発光素子ＬＥＤに電力を供給する電源でもある。第２の電源１６の入力側の一端は、二次電池１１の一端（図１では、正極端子）に接続し、第２の電源１６の入力側の他端は、第１の低電位電源線ＬＰＳＬ１に接続し、逆流防止ダイオードＤを介して二次電池１１の他端（図１では、負極端子）に接続する。第２の電源１６の出力側の一端は、第２の高電位電源線ＬＰＳＨ２に接続し、第２の電源１６の出力側の他端は、第２の低電位電源線ＬＰＳＬ２に接続する。
【００２０】
なお、第２の電源１６は絶縁電源であってもよい。第２の電源１６が絶縁電源により構成されれば、スイッチ１４がオフした時に、二次電池１１からの出力電流が通信回路１３を介して二次電池１１に戻ることを防止できる。第２の電源１６が絶縁電源である場合には、第２の電源１６の入力側の他端に接続する第１の低電位電源線ＬＰＳＬ１と、第２の電源１６の出力側の他端に接続する第２の低電位電源線ＬＰＳＬ２とは、図１に示すように区別されてもよい。一方、第２の電源１６が絶縁電源でない場合には、第１の低電位電源線ＬＰＳＬ１及び第２の低電位電源線ＬＰＳＬ２は、区別されずに共通化されてもよい。
【００２１】
また、制御部１２に電力を供給する電源部と通信回路１３に電力を供給する電源部とをスイッチ等を用いて別々に制御できるならば、第１の電源１５及び第２の電源１６は、図２に示すように電源ＰＳとして一体化されてもよい。なお、図２中の第１の制限抵抗ＲＬ１は、電源ＰＳから発光素子ＬＥＤに流れる電流を所定値以下に制限する抵抗である。
【００２２】
第１の電源１５及び第２の電源１６が一体化された場合、第１の電源１５の出力側に接続する第１の電源線ＬＰＳ１と、第２の電源１６の出力側に接続する第２の電源線ＬＰＳ２とは、図２に示すように、電源ＰＳの出力側に接続する電源線ＬＰＳと同視してもよい。すなわち、第１の電源線ＬＰＳ１を構成する第１の低電位電源線ＬＰＳＬ１と、第２の電源線ＬＰＳ２を構成する第２の低電位電源線ＬＰＳＬ２とは、電源線ＬＰＳを構成する低電位電源線ＬＰＳＬと同視してもよい。また、第１の電源線ＬＰＳ１を構成する第１の高電位電源線ＬＰＳＨ１と、第２の電源線ＬＰＳ２を構成する第２の高電位電源線ＬＰＳＨ２とは、電源線ＬＰＳを構成する高電位電源線ＬＰＳＨと同視してもよい。
【００２３】
光半導体ＯＳ及び検知抵抗ＲＤは、電力線コネクタ１８及び通信線コネクタ１９の内の一方を介して出力された信号（第１の信号）が電力線コネクタ１８及び通信線コネクタ１９の内の他方を介して入力したか否かを検知するための検知回路を構成する。
【００２４】
光半導体ＯＳは、例えば、フォトカプラやフォトリレーである。図１に示した一例では、光半導体ＯＳは、発光素子ＬＥＤ及び受光素子ＰＤを含む。
発光素子ＬＥＤの一端（アノード）は、発光素子ＬＥＤに電力を供給する電源ＰＳに接続する高電位電源線ＬＰＳＨ（図１では、第２の電源１６に接続する第２の高電位電源線ＬＰＳＨ２）に接続する。発光素子ＬＥＤの他端（カソード）は、低電位電力線ＬＥＰＬに接続する。また、受光素子ＰＤの一端は、制御部１２の第１の信号入力端ＴＩＮ１に接続し、受光素子ＰＤの他端は、電源ＰＳに接続する低電位電源線ＬＰＳＬ（図１では、第２の電源１６に接続する第１の低電位電源線ＬＰＳＬ１）に接続する。そして、検知抵抗ＲＤの一端は、高電位電源線ＬＰＳＨ（図１では、第１の高電位電源線ＬＰＳＨ１）に接続し、検知抵抗ＲＤの他端は、制御部１２の第１の信号入力端ＴＩＮ１と受光素子ＰＤの一端とに接続する。
【００２５】
前述したように、負荷装置２（又は充電装置２）は、電力線コネクタ２３、通信線コネクタ２４を含む。充電装置２は、二次電池１１に対応の充電装置であり、例えば、リチウムイオン電池に対応の充電装置である。電力線コネクタ２３は、蓄電装置１側の電力線コネクタ１８に接続されるコネクタであり、通信線コネクタ２４は、蓄電装置１側の通信線コネクタ１９に接続されるコネクタである。そして、通信回路１３と２２は、通信線コネクタ１９と２４、および通信線ＬＣを通じて接続される。また、負荷装置２（又は充電装置２）側の中継線ＬＲの一方は低電位電源線ＬＰＳＬ（図１では、第２の低電位電源線ＬＰＳＬ２）を介して通信線コネクタ２４に接続され、中継線ＬＲの他方は負荷装置２（又は充電装置２）側の低電位電力線ＬＥＰＬに接続される。
【００２６】
なお、負荷装置２の負荷２１（又は充電装置２の電力変換装置２１）は電力線ＬＥＰ（高電位電力線ＬＥＰＨと、低電位電力線ＬＥＰＬ）を通じて電力線コネクタ２３に接続される。
【００２７】
蓄電装置１側の電力線コネクタ１８及び通信線コネクタ１９が同一の負荷装置２（又は充電装置２）側の電力線コネクタ２３及び通信線コネクタ２４に夫々接続された場合、電源ＰＳからの出力電流（第１の信号）は次のような経路を通って流れる。すなわち、電流（第１の信号）は、蓄電装置１において、電源ＰＳ（図１では、第２の電源１６）→高電位電源線ＬＰＳＨ（図１では、第２の高電位電源線ＬＰＳＨ２）→発光素子ＬＥＤ→低電位電力線ＬＥＰＬ→電力線コネクタ１８という経路で流れる。そして、電流（第１の信号）は、負荷装置２（又は充電装置２）において、電力線コネクタ２３→低電位電力線ＬＥＰＬ→中継線ＬＲ→低電位電源線ＬＰＳＬ（図１では、第２の低電位電源線ＬＰＳＬ２）→通信線コネクタ２４という経路で流れる。なお、中継線ＬＲは、負荷装置２（又は充電装置２）において、低電位電力線ＬＥＰＬと、低電位電源線ＬＰＳＬ及び通信回路２２とを接続する電線である。さらに、電流（第１の信号）は、蓄電装置１において、通信線コネクタ１９→低電位電源線ＬＰＳＬ（図１では、第２の低電位電源線ＬＰＳＬ２）→電源ＰＳ（図１では、第２の電源１６）という経路で流れる。
【００２８】
電源ＰＳからの出力電流（第１の信号）が上述したような経路を通って流れると、発光素子ＬＥＤは点灯する。発光素子ＬＥＤが点灯すると、受光素子ＰＤは導通する。受光素子ＰＤの導通により、高電位電源線ＬＰＳＨ（図１では、第１の高電位電源線ＬＰＳＨ１）から第１の信号入力端ＴＩＮ１に入力する信号は、信号レベルが低いオン信号になる。この結果、制御部１２は、電力線コネクタ１８を介して出力された電流（第１の信号）が通信線コネクタ１９を介して入力したことを検知し、スイッチ１４をオンにする。スイッチ１４がオンになると、蓄電装置１に負荷装置２が接続された場合には二次電池１１から負荷２１へ放電される。また、蓄電装置１に充電装置２が接続された場合には電力変換装置２１により二次電池１１は充電される。
【００２９】
これに対して、電力線コネクタ１８及び通信線コネクタ１９の少なくとも一方が未接続状態であると、電源ＰＳからの出力電流（第１の信号）は上述のような経路で流れない。加えて、通信線コネクタ１９が負荷装置２（又は充電装置２）側の通信線コネクタ２４に接続された状態で、電力線コネクタ１８が別の充電装置側の電力コネクタに接続された場合、電源ＰＳからの出力電流（第１の信号）は上述のような経路で流れない。別の充電装置とは、例えば、二次電池１１（例えば、リチウムイオン電池）に対応しない充電装置（例えば、鉛電池対応の充電装置）である。上述した経路で電流（第１の信号）が流れない場合、発光素子ＬＥＤは点灯せず、受光素子ＰＤは導通しない。受光素子ＰＤが導通せず、第１の信号入力端ＴＩＮ１に入力する信号が信号レベルが高いオフ信号である場合、制御部１２は、電力線コネクタ１８を介して出力された電流（第１の信号）が通信線コネクタ１９を介して入力したことを検知しない。そこで、制御部１２はスイッチ１４をオフにする（又は、オフ状態を維持する）。スイッチ１４がオフ状態であると、二次電池１１は、電力線コネクタ１８に接続された充電装置により充電されない。
【００３０】
したがって、第１の実施形態に従った蓄電装置によれば、対応しない充電装置が蓄電装置に接続された場合に二次電池が充電されることを防止できる。
なお、第１の実施形態に従った蓄電装置、及び対応する負荷装置又は充電装置は、図３に示すように構成されてもよい。図３は、第１の実施形態に従った蓄電装置、及び対応する負荷装置又は充電装置の第２の構成例を示す図である。なお、図３において、図１及び図２に示す構成要素と同じ構成要素には図１及び図２で付した参照符号と同じ参照符号が付されている。また、図３に示す構成例においても、図２を参照しながら上述したように、第１の電源１５及び第２の電源１６は電源ＰＳに一体化されてもよい。
【００３１】
蓄電装置３は、光半導体ＯＳ（図１）の代わりに光半導体ＯＳ´を含む。光半導体ＯＳ´は、発光素子ＬＥＤ´及び受光素子ＰＤを含む。発光素子ＬＥＤ´の一端（アノード）は、低電位電力線ＬＥＰＬに接続する。発光素子ＬＥＤの他端（カソード）は、発光素子ＬＥＤ´に電力を供給する電源ＰＳに接続する低電位電源線ＬＰＳＬ（図３では、第２の電源１６に接続する第２の低電位電源線ＬＰＳＬ２）に接続する。
【００３２】
また、蓄電装置３は、通信線コネクタ１９（図１）の代わりに通信線コネクタ３９を含む。通信線コネクタ３９は、通信線ＬＣに加えて、電源ＰＳに接続する高電位電源線ＬＰＳＨ（図３では、第２の電源１６に接続する第２の高電位電源線ＬＰＳＨ２）に接続する。
【００３３】
以下で説明するように、図３の構成例では、制御部１２は、通信線コネクタ３９を介して出力された信号（第１の信号）が電力線コネクタ１８を介して入力したことを検知した場合にスイッチ１４をオンにする。また、制御部１２は、通信線コネクタ３９を介して出力された信号（第１の信号）が電力線コネクタ１８を介して入力したことを検知しない場合にスイッチ１４をオフにする。
【００３４】
蓄電装置３側の電力線コネクタ１８及び通信線コネクタ３９が同一の負荷装置４（又は充電装置４）側の電力線コネクタ２３及び通信線コネクタ４４に夫々接続された場合、電源ＰＳからの出力電流（第１の信号）は次のような経路を通って流れる。すなわち、電流（第１の信号）は、蓄電装置３において、電源ＰＳ（図３では、第２の電源１６）→高電位電源線ＬＰＳＨ（図３では、第２の高電位電源線ＬＰＳＨ２）→通信線コネクタ３９という経路で流れる。そして、電流（第１の信号）は、負荷装置４（又は充電装置４）において、通信線コネクタ４４→高電位電源線ＬＰＳＨ（図３では、第２の高電位電源線ＬＰＳＨ２）→所定の抵抗Ｒ→中継線ＬＲ´→低電位電力線ＬＥＰＬ→電力線コネクタ２３という経路で流れる。なお、中継線ＬＲ´は、負荷装置２（又は充電装置２）において、低電位電力線ＬＥＰＬと、高電位電源線ＬＰＳＨ及び通信回路２２とを接続する電線である。さらに、電流（第１の信号）は、蓄電装置３において、電力線コネクタ１８→低電位電力線ＬＥＰＬ→発光素子ＬＥＤ´→低電位電源線ＬＰＳＬ（図３では、第２の低電位電源線ＬＰＳＬ２）→電源ＰＳ（図１では、第２の電源１６）という経路で流れる。
【００３５】
電源ＰＳからの出力電流（第１の信号）が上述したような経路を通って流れると、発光素子ＬＥＤ´は点灯する。発光素子ＬＥＤ´が点灯すると、受光素子ＰＤは導通する。受光素子ＰＤの導通によって、高電位電源線ＬＰＳＨ（図３では、第１の高電位電源線ＬＰＳＨ１）から第１の信号入力端ＴＩＮ１に入力する信号は、信号レベルが低いオン信号になる。この結果、制御部１２は、通信線コネクタ３９を介して出力された信号（第１の信号）が電力線コネクタ１８を介して入力したことを検知し、スイッチ１４をオンにする。スイッチ１４がオンになると、蓄電装置３に負荷装置４が接続された場合には二次電池１１から負荷２１へ放電される。また、蓄電装置３に充電装置４が接続された場合には電力変換装置２１により二次電池１１は充電される。
【００３６】
これに対して、電力線コネクタ１８及び通信線コネクタ３９の少なくとも一方が未接続状態であると、電源ＰＳからの出力電流（第１の信号）は上述のような経路で流れない。加えて、通信線コネクタ３９が負荷装置４（又は充電装置４）側の通信線コネクタ４４に接続された状態で、電力線コネクタ１８が別の充電装置側の電力コネクタに接続された場合、電源ＰＳからの出力電流（第１の信号）は上述のような経路で流れない。上述した経路で電流（第１の信号）が流れない場合、発光素子ＬＥＤ´は点灯せず、受光素子ＰＤは導通しない。受光素子ＰＤは導通せず、第１の信号入力端ＴＩＮ１に入力する信号が信号レベルが高いオフ信号である場合、制御部１２は、通信線コネクタ３９を介して出力された電流（第１の信号）が電力線コネクタ１８を介して入力したことを検知しない。そこで、制御部１２はスイッチ１４をオフにする（又は、オフ状態を維持する）。スイッチ１４がオフ状態であると、二次電池１１は、電力線コネクタ１８に接続された充電装置により充電されない。
【００３７】
したがって、第１の実施形態に従った蓄電装置を図３に示すように構成した場合にも、対応しない充電装置が蓄電装置に接続された場合に二次電池が充電されることを防止できる。
【００３８】
また、図１〜図３に示す構成例に次のような変更が更に加えられてもよい。すなわち、受光素子ＰＤの導通により、高電位電源線ＬＰＳＨ（図１及び図３では、第１の高電位電源線ＬＰＳＨ１）から第１の信号入力端ＴＩＮ１に信号レベルが高いオン信号が入力した場合に、制御部１２はスイッチ１４をオンにする。また、受光素子ＰＤが導通せずに、第１の信号入力端ＴＩＮ１に信号レベルが低いオフ信号が入力した場合に、制御部１２はスイッチ１４をオフにする。図１〜図３に示す構成例にこうした変更が加えられる場合、検知抵抗ＲＤの接続関係は、図１〜図３とは異なり、次のように変更される。すなわち、検知抵抗ＲＤの一端は、低電位電源線ＬＰＳＬ（図１及び図３では、第１の低電位電源線ＬＰＳＬ１）に接続し、検知抵抗ＲＤの他端は、受光素子ＰＤの他端に接続する。なお、受光素子ＰＤの一端は、高電位電源線ＬＰＳＨ（図１及び図３では、第１の高電位電源線ＬＰＳＨ１）と第１の信号入力端ＴＩＮ１とに接続する。図１〜図３に示す構成例にこうした変更が加えられた場合でも、図１〜図３に示す構成例と同様の効果が得られる。
【００３９】
さらに、制御部１２は、条件(1)に加えて、条件(2)及び／又は(3)を満たした場合にスイッチ１４をオフにするように構成されてもよい。
条件(1)は、上述したように、電力線コネクタ１８及び通信線コネクタ１９、３９の内の一方を介して出力された信号（第１の信号）が電力線コネクタ１８及び通信線コネクタ１９、３９の内の他方を介して入力したことを検知しないことである。しかしながら、例えば、検知回路の断線や瞬断によって、条件(1)が誤検知される可能性がある。条件(1)の誤検知によってスイッチ１４がオフにされると、車両といった負荷装置２、４が急停止したり、二次電池１１の充電が停止されてしまう。そこで、次の条件(2)及び条件(3)の少なくとも一方を満たすか否かが更に判定される。
【００４０】
条件(2)は、通信線コネクタ１９、３９を介して蓄電装置１、３に接続された充電装置２、４（又は負荷装置２、４）の通信回路２２と通信回路１３が通信しないことである。通信回路１３が通信していないのであれば、通信線コネクタ１９、３９が未接続である可能性があり、条件(1)が誤検知でない可能性が高い。制御部１２は、通信回路１３の通信状態を監視することで条件(2)を満たすか否かを判定できる。
【００４１】
条件(3)は、二次電池１１からの出力電流が所定時間の間所定値以下であることである。二次電池１１からの出力電流が所定時間の間所定値以下であるならば、電力線コネクタ１８が未接続である可能性があり、条件(1)が誤検知でない可能性が高い。制御部１２は、電力線ＬＥＰに設けられた電流センサ１７の測定値を基に条件(3)を満たすか否かを判定してもよい。
【００４２】
このように、条件(1)に加えて、条件(2)及び／又は条件(3)を用いることによって、条件(1)の誤検知に起因する負荷装置２、４の急停止や二次電池１１の充電停止を防止できる。
【００４３】
＜第２の実施形態＞
図４は、第２の実施形態に従った蓄電装置、及び対応する負荷装置又は充電装置の第１の構成例を示す図である。なお、図４において、図１〜図３に示す構成要素と同じ構成要素には図１〜図３で付した参照符号と同じ参照符号が付されている。また、図４に示す構成例においても、図２を参照しながら上述したように、第１の電源１５及び第２の電源１６は電源ＰＳに一体化されてもよい。
【００４４】
蓄電装置５は、高電位検知線ＬＤＨ及び低電位検知線ＬＤＬを含む検知線ＬＤと、プルアップ抵抗ＲＰＵとを更に含む。また、蓄電装置５は、通信線コネクタ１９、３９（図１〜図３）に代えて通信線コネクタ５９を含む。
【００４５】
高電位検知線ＬＤＨの一端は、制御部１２の第２の信号入力端ＴＩＮ２に接続され、高電位検知線ＬＤＨの他端は、通信線コネクタ５９に接続される。低電位検知線ＬＤＬの一端は、低電位電源線ＬＰＳＬ（図４では、第１の低電位電源線ＬＰＳＬ１）に接続され、低電位検知線ＬＤＬの他端は、通信線コネクタ５９に接続される。
【００４６】
通信線コネクタ５９は、通信線コネクタ１９（図１、図２）と同様に通信線ＬＣ及び低電位電源線ＬＰＳＬ（図４では、第２の低電位電源線ＬＰＳＬ２）に接続されると共に、検知線ＬＤにも接続される。
【００４７】
プルアップ抵抗ＲＰＵの一端は、高電位電源線ＬＰＳＨ（図４では、第１の高電位電源線ＬＰＳＨ１）に接続され、プルアップ抵抗ＲＰＵの他端は、高電位検知線ＬＤＨに接続される。
【００４８】
通信線コネクタ５９が充電装置６（又は負荷装置６）側の通信線コネクタ６４に接続されると、高電位検知線ＬＤＨは、充電装置６（又は負荷装置６）側のジャンパ線ＬＪを介して低電位検知線ＬＤＬに接続する。高電位検知線ＬＤＨが低電位検知線ＬＤＬに接続すると、高電位電源線ＬＰＳＨ（図４では、第１の高電位電源線ＬＰＳＨ１）から第２の信号入力端ＴＩＮ２には、信号レベルが低い信号（第２の信号）が入力する。その結果、制御部１２は、通信線コネクタ５９を介して出力された信号（第２の信号）が通信線コネクタ５９を介して入力したことを検知する。すなわち、制御部１２は、通信線コネクタ５９が通信線コネクタ６４に接続されたことを検知する。通信線コネクタ５９が通信線コネクタ６４に接続されたことを検知すると、制御部１２は、発光素子ＬＥＤに電力を供給する電源ＰＳ（図４では、第２の電源１６）を起動する。
【００４９】
一方、通信線コネクタ５９が未接続状態である場合、高電位検知線ＬＤＨは低電位検知線ＬＤＬに接続しない。高電位検知線ＬＤＨが低電位検知線ＬＤＬに接続しない場合、第２の信号入力端ＴＩＮ２には信号レベルが高い信号（第２の信号）が入力する。その結果、制御部１２は、通信線コネクタ５９を介して出力された信号（第２の信号）が通信線コネクタ５９を介して入力したことを検知しない。すなわち、制御部１２は、通信線コネクタ５９が未接続状態であることを検知する。制御部１２は、通信線コネクタ５９を介して出力された信号（第２の信号）が通信線コネクタ５９を介して入力したことを検知しない場合、制御部１２は、発光素子ＬＥＤに電力を供給する電源ＰＳの動作を停止させる。
【００５０】
通信線コネクタ５９が未接続状態であるならば、電力線コネクタ１８及び通信線コネクタ５９の内の一方を介して出力された信号（第１の信号）が電力線コネクタ１８及び通信線コネクタ５９の内の他方を介して入力したか否かは検知されなくてもよい。それ故、電源ＰＳを起動させて、発光素子ＬＥＤに電力を供給しなくてもよい。そこで、通信線コネクタ５９が未接続状態である場合には、制御部１２は、発光素子ＬＥＤに電力を供給する電源ＰＳの動作を停止させる。
【００５１】
このように、第２の実施形態に従った蓄電装置によれば、第１の実施形態に従った蓄電装置と同様の効果が得られると共に、検知回路（例えば、発光素子）を動作させるための消費電力を低減することが更にできる。
【００５２】
なお、図４に示す構成例とは異なり、第２の実施形態に従った蓄電装置、及び対応する負荷装置又は充電装置は、図５に示すように構成されてもよい。図５は、第２の実施形態に従った蓄電装置、及び対応する負荷装置又は充電装置の第２の構成例を示す図である。なお、図５において、図４に示す構成要素と同じ構成要素には図４で付した参照符号と同じ参照符号が付されている。また、図５に示す構成例においても、図２を参照しながら上述したように、第１の電源１５及び第２の電源１６は電源ＰＳに一体化されてもよい。
【００５３】
蓄電装置７において、高電位検知線ＬＤＨの一端は、高電位電源線ＬＰＳＨ（図５では、第１の高電位電源線ＬＰＳＨ１）に接続され、高電位検知線ＬＤＨの他端は、通信線コネクタ７９に接続される。低電位検知線ＬＤＬの一端は、制御部１２の第２の信号入力端ＴＩＮ２に接続され、低電位検知線ＬＤＬの他端は、通信線コネクタ７９に接続される。
【００５４】
また、蓄電装置７はプルダウン抵抗ＲＰＤを含む。プルダウン抵抗ＲＰＤの一端は、低電位検知線ＬＤＬに接続され、プルダウン抵抗ＲＰＤの他端は、低電位電源線ＬＰＳＬ（図５では、第１の低電位電源線ＬＰＳＬ１）に接続される。なお、蓄電装置７は第２の制限抵抗ＲＬ２を更に含んでもよい。第２の制限抵抗ＲＬ２は、負荷装置２（又は充電装置２）側において検知線ＬＤと電力線ＬＥＰとがショートした場合に大電流が流れないようにするために、高電位検知線ＬＤＨに設置される。
【００５５】
通信線コネクタ７９が充電装置８（又は負荷装置８）側の通信線コネクタ８４に接続されると、高電位検知線ＬＤＨは、充電装置８（又は負荷装置８）側のジャンパ線ＬＪを介して低電位検知線ＬＤＬに接続する。高電位検知線ＬＤＨが低電位検知線ＬＤＬに接続すると、高電位電源線ＬＰＳＨ（図５では、第１の高電位電源線ＬＰＳＨ１）から第２の信号入力端ＴＩＮ２には、信号レベルが高い信号（第２の信号）が入力する。その結果、制御部１２は、通信線コネクタ７９を介して出力された信号（第２の信号）が通信線コネクタ７９を介して入力したことを検知する。すなわち、制御部１２は、通信線コネクタ７９が通信線コネクタ８４に接続されたことを検知する。通信線コネクタ７９が通信線コネクタ８４に接続されたことを検知すると、制御部１２は、発光素子ＬＥＤに電力を供給する電源ＰＳ（図５では、第２の電源１６）を起動する。
【００５６】
一方、通信線コネクタ７９が未接続状態である場合、高電位検知線ＬＤＨは低電位検知線ＬＤＬに接続しない。高電位検知線ＬＤＨが低電位検知線ＬＤＬに接続しない場合、第２の信号入力端ＴＩＮ２には、信号レベルが低い信号（第２の信号）が入力する。その結果、制御部１２は、通信線コネクタ７９を介して出力された信号（第２の信号）が通信線コネクタ７９を介して入力したことを検知しない。すなわち、制御部１２は、通信線コネクタ７９が未接続状態であることを検知する。制御部１２は、通信線コネクタ７９を介して出力された信号（第２の信号）が通信線コネクタ７９を介して入力したことを検知しない場合、制御部１２は、発光素子ＬＥＤに電力を供給する電源ＰＳの動作を停止させる。
【００５７】
このように、第２の実施形態に従った蓄電装置によれば、第１の実施形態に従った蓄電装置と同様の効果が得られると共に、検知回路（例えば、発光素子）を動作させるための消費電力を低減することが更にできる。
【００５８】
＜第３の実施形態＞
図６は、第３の実施形態に従った蓄電装置、及び対応する負荷装置又は充電装置の構成例を示す図である。なお、図６において、図１〜図５に示す構成要素と同じ構成要素には図１〜図５で付した参照符号と同じ参照符号が付されている。また、図６に示す構成例においても、図２を参照しながら上述したように、第１の電源１５及び第２の電源１６は電源ＰＳに一体化されてもよい。
【００５９】
蓄電装置９は、光半導体ＯＳ（図１）を含まない。代わりに、蓄電装置９は、第１の光半導体ＯＳ１及び第２の光半導体ＯＳ２を含む。第１の光半導体ＯＳ１、第２の光半導体ＯＳ２、及び検知抵抗ＲＤは検知回路を構成する。第１の光半導体ＯＳ１は、第１の発光素子ＬＥＤ１及び第１の受光素子ＰＤ１を含む。また、第２の光半導体ＯＳ２は、第２の発光素子ＬＥＤ２及び第２の受光素子ＰＤ２を含む。
【００６０】
第１の発光素子ＬＥＤ１の一端（アノード）は、制御部１２の信号出力端ＴＯＵＴに接続する。第１の発光素子ＬＥＤ１の他端（カソード）は、第２の発光素子ＬＥＤ２に電力を供給する電源ＰＳに接続する低電位電源線ＬＰＳＬ（図６では、第２の電源１６に接続する第１の低電位電源線ＬＰＳＬ１）に接続する。第１の発光素子ＬＥＤ１は、制御部１２の信号出力端ＴＯＵＴから信号が流れると点灯する
第１の受光素子ＰＤ１は、第１の発光素子ＬＥＤ１が点灯すると導通する。第１の受光素子ＰＤ１の一端は、電源ＰＳに接続する高電位電源線ＬＰＳＨ（図６では、第２の電源１６に接続する第２の高電位電源線ＬＰＳＨ２）に接続する。
【００６１】
第２の発光素子ＬＥＤ２の一端（アノード）は、第１の受光素子ＰＤ１の他端に接続し、第２の発光素子ＬＥＤ２の他端（カソード）は、低電位電力線ＬＥＰＬに接続する。第２の発光素子ＬＥＤ２は、第１の受光素子ＰＤ１が導通し且つ第１の信号が流れると、点灯する。前述したように、第１の信号は、電力線コネクタ１８及び通信線コネクタ１９の内の一方を介して出力されて、電力線コネクタ１８及び通信線コネクタ１９の内の他方を介して入力する信号である。
【００６２】
第２の受光素子ＰＤ２は、第２の発光素子ＬＥＤ２が点灯すると導通する。第２の受光素子ＰＤ２の一端は、制御部１２の第１の信号入力端ＴＩＮ１に接続し、第２の受光素子ＰＤ２の他端は、低電位電源線ＬＰＳＬ（図６では、第１の低電位電源線ＬＰＳＬ１）に接続する。
【００６３】
検知抵抗ＲＤの一端は、高電位電源線ＬＰＳＨ（図６では、第１の高電位電源線ＬＰＳＨ１）に接続し、検知抵抗ＲＤの他端は、制御部１２の第１の信号入力端ＴＩＮ１と第２の受光素子ＰＤ２の一端とに接続する。
【００６４】
制御部１２は、パルス信号（例えば、矩形波）を信号出力端ＴＯＵＴから出力する。この結果、信号出力端ＴＯＵＴから第１の発光素子ＬＥＤ１にパルス信号が流れると、第１の発光素子ＬＥＤ１は点灯し、第１の受光素子ＰＤ１は導通する。一方、信号出力端ＴＯＵＴから第１の発光素子ＬＥＤ１にパルス信号が流れない場合、第１の発光素子ＬＥＤ１は消灯し、第１の受光素子ＰＤ１は導通しない。
【００６５】
電力線コネクタ１８及び通信線コネクタ１９が同一の負荷装置２（又は充電装置２）の電力線コネクタ２３及び通信線コネクタ２４に夫々接続されると、電源ＰＳからの出力電流（第１の信号）は、第１の受光素子ＰＤ１が導通したタイミングで次の経路で流れる。すなわち、電流（第１の信号）は、蓄電装置９において、電源ＰＳ（図６では、第２の電源１６）→高電位電源線ＬＰＳＨ（図６では、第２の高電位電源線ＬＰＳＨ２）→第１の受光素子ＰＤ１→第１の発光素子ＬＥＤ１→低電位電力線ＬＥＰＬ→電力線コネクタ１８という経路で流れる。そして、電流（第１の信号）は、負荷装置２（又は充電装置２）において、電力線コネクタ２３→低電位電力線ＬＥＰＬ→中継線ＬＲ→低電位電源線ＬＰＳＬ（図６では、第２の低電位電源線ＬＰＳＬ２）→通信線コネクタ２４という経路で流れる。さらに、電流（第１の信号）は、蓄電装置９において、通信線コネクタ１９→低電位電源線ＬＰＳＬ（図６では、第２の低電位電源線ＬＰＳＬ２）→電源ＰＳ（図６では、第２の電源１６）という経路で流れる。
【００６６】
電源ＰＳからの出力電流（第１の信号）が上述したような経路を通って流れると、第２の発光素子ＬＥＤ２は点灯する。第２の発光素子ＬＥＤ２が点灯すると、第２の受光素子ＰＤ２は導通する。第２の受光素子ＰＤ２の導通により、高電位電源線ＬＰＳＨ（図６では、第１の高電位電源線ＬＰＳＨ１）から第１の信号入力端ＴＩＮ１に入力する信号は、信号レベルが低いオン信号になる。この結果、制御部１２は、電力線コネクタ１８を介して出力された電流（第１の信号）が通信線コネクタ１９を介して入力したことを検知し、スイッチ１４をオンにする。スイッチ１４がオンになると、蓄電装置９に負荷装置２が接続された場合には二次電池１１から負荷２１へ放電される。また、蓄電装置９に充電装置２が接続された場合には電力変換装置２１により二次電池１１は充電される。
【００６７】
これに対して、電力線コネクタ１８及び通信線コネクタ１９の少なくとも一方が未接続状態であると、電源ＰＳからの出力電流（第１の信号）は、第１の受光素子ＰＤ１が導通したタイミングであっても上述のような経路で流れない。加えて、通信線コネクタ１９が負荷装置２（又は充電装置２）側の通信線コネクタ２４に接続された状態で、電力線コネクタ１８が別の充電装置側の電力コネクタに接続された場合、電源ＰＳからの出力電流（第１の信号）は第１の受光素子ＰＤ１が導通したタイミングであっても上述のような経路で流れない。上述した経路で電流（第１の信号）が流れない場合、第２の発光素子ＬＥＤ２は点灯せず、第２の受光素子ＰＤ２は導通しない。第２の受光素子ＰＤ２が導通せず、第１の信号入力端ＴＩＮ１に入力する信号が信号レベルが高いオフ信号である場合、制御部１２は、電力線コネクタ１８を介して出力された電流（第１の信号）が通信線コネクタ１９を介して入力したことを検知しない。そこで、制御部１２はスイッチ１４をオフにする（又は、オフ状態を維持する）。スイッチ１４がオフ状態であると、二次電池１１は、電力線コネクタ１８に接続された充電装置により充電されない。
【００６８】
したがって、第３の実施形態に従った蓄電装置によれば、対応しない充電装置が蓄電装置に接続された場合に二次電池が充電されることを防止できる。また、第３の実施形態に従った蓄電装置によれば、検知回路に電流を常時流さなくてもよいため、検知回路（例えば、発光素子）を動作させるための消費電力を低減することができる。
【００６９】
なお、制御部１２は、パルス信号を出力した検知時間内にオン信号が入力したか否かを判定することで、電力線コネクタ１８を介して出力された電流（第１の信号）が通信線コネクタ１９を介して入力したか否かを検知するように構成されてもよい。こうした構成によれば、制御部１２は、上述のような検知動作を検知時間内のみ実行すれば足り、検知時間以外の時間を別のタスクの実行時間に充てることができる。
【００７０】
或いは、制御部１２は、パルス信号を出力した検知時間内にオン信号が入力したか否かを複数のパルス信号に対して判定することで、電力線コネクタ１８を介して出力された電流（第１の信号）が通信線コネクタ１９を介して入力したか否かを検知してもよい。こうした構成によれば、電力線コネクタ１８を介して出力された電流（第１の信号）が通信線コネクタ１９を介して入力したか否かが誤検知される可能性を低減できる。
【００７１】
また、図６に示す構成例には、図３に示す構成例と同様の変更が加えられてもよい。すなわち、通信線コネクタ３９を介して出力された信号（第１の信号）が電力線コネクタ１８を介して入力したことが検知された場合にスイッチ１４がオンされるように変更されてもよい。また、通信線コネクタ３９を介して出力された信号（第１の信号）が電力線コネクタ１８を介して入力したことが検知されない場合にスイッチ１４がオフされるように変更されてもよい。図６に示す構成例にこうした変更が加えられた場合でも、図６に示す構成例と同様の効果が得られる。
【００７２】
さらに、図６に示す構成例に次のような変更が更に加えられてもよい。すなわち、第２の受光素子ＰＤ２の導通により、高電位電源線ＬＰＳＨ（図６では、第１の高電位電源線ＬＰＳＨ１）から第１の信号入力端ＴＩＮ１に信号レベルが高いオン信号が入力した場合に、制御部１２はスイッチ１４をオンにする。また、第２の受光素子ＰＤ２が導通せずに、第１の信号入力端ＴＩＮ１に信号レベルが低いオフ信号が入力した場合に、制御部１２はスイッチ１４をオフにする。図６に示す構成例にこうした変更が加えられる場合、検知抵抗ＲＤの接続関係は、図６とは異なり、次のように変更される。すなわち、検知抵抗ＲＤの一端は、低電位電源線ＬＰＳＬ（図６では、第１の低電位電源線ＬＰＳＬ１）に接続し、検知抵抗ＲＤの他端は、第２の受光素子ＰＤ２の他端に接続する。なお、第２の受光素子ＰＤ２の一端は、高電位電源線ＬＰＳＨ（図６では、第１の高電位電源線ＬＰＳＨ１）と第１の信号入力端ＴＩＮ１とに接続する。図６に示す構成例にこうした変更が加えられた場合でも、図６に示す構成例と同様の効果が得られる。
【００７３】
＜第４の実施形態＞
図７は、第４の実施形態に従った蓄電装置、及び対応する負荷装置又は充電装置の構成例を示す図である。なお、図７において、図１〜図５に示す構成要素と同じ構成要素には図１〜図５で付した参照符号と同じ参照符号が付されている。また、図７に示す構成例においても、図２を参照しながら上述したように、第１の電源１５及び第２の電源１６は電源ＰＳに一体化されてもよい。
【００７４】
蓄電装置１０は、発光素子ＬＥＤを含む光半導体ＯＳ（図１）及び検知抵抗ＲＤ（図１）を含まない。代わりに、蓄電装置１０は、第１のコンデンサＣ１、第２のコンデンサＣ２、及び検知抵抗ＲＤ´を含む。第１のコンデンサＣ１、第２のコンデンサＣ２、及び検知抵抗ＲＤ´は検知回路を構成する。
【００７５】
第１のコンデンサＣ１の一端は、制御部１２の信号出力端ＴＯＵＴに接続し、第１のコンデンサＣ１の他端は、低電位電力線ＬＥＰＬに接続する。第２のコンデンサＣ２の一端は、通信回路１３に電力を供給する電源ＰＳに接続する低電位電源線ＬＰＳＬ（図６では、第２の電源１６に接続する第２の低電位電源線ＬＰＳＬ２）に接続する。第２のコンデンサＣ２の他端は、制御部１２の信号入力端ＴＩＮに接続する。検知抵抗ＲＤ´の一端は、第２のコンデンサＣ２の他端と信号入力端ＴＩＮとに接続する。検知抵抗ＲＤ´の他端は、電源ＰＳに接続する低電位電源線ＬＰＳＬ（図６では、第１の低電位電源線ＬＰＳＬ１）に接続する。制御部１２は、パルス信号（例えば、矩形波）である第１の信号を信号出力端ＴＯＵＴから周期的に出力する。
【００７６】
蓄電装置１０側の電力線コネクタ１８及び通信線コネクタ１９が同一の負荷装置２（又は充電装置２）側の電力線コネクタ２３及び通信線コネクタ２４に夫々接続された場合、信号出力端ＴＯＵＴからのパルス信号（第１の信号）は次のような経路を通って流れる。すなわち、パルス信号（第１の信号）は、蓄電装置１０において、信号出力端ＴＯＵＴ→第１のコンデンサＣ１→低電位電力線ＬＥＰＬ→電力線コネクタ１８という経路で流れる。そして、パルス信号（第１の信号）は、負荷装置２（又は充電装置２）において、電力線コネクタ２３→低電位電力線ＬＥＰＬ→中継線ＬＲ→低電位電源線ＬＰＳＬ（図６では、第２の低電位電源線ＬＰＳＬ２）→通信線コネクタ２４という経路で流れる。さらに、パルス信号（第１の信号）は、蓄電装置１０において、通信線コネクタ１９→低電位電源線ＬＰＳＬ（図６では、第２の低電位電源線ＬＰＳＬ２）→第２のコンデンサＣ２→信号入力端ＴＩＮという経路で流れる。
【００７７】
パルス信号（第１の信号）が上述したような経路を通って流れると、信号入力端ＴＩＮにパルス信号が入力し、信号入力端ＴＩＮにおける電圧レベルはパルス信号の入力により高くなる。信号入力端ＴＩＮにおける電圧レベルがパルス信号の入力により高くなると、制御部１２は、電力線コネクタ１８を介して出力された信号（第１の信号）が通信線コネクタ１９を介して入力したことを検知する。そこで、制御部１２はスイッチ１４をオンにする。スイッチ１４がオンになると、蓄電装置１０に負荷装置２が接続された場合には二次電池１１から負荷２１へ放電される。また、蓄電装置１０に充電装置２が接続された場合には電力変換装置２１により二次電池１１は充電される。
【００７８】
これに対して、電力線コネクタ１８及び通信線コネクタ１９の少なくとも一方が未接続状態であると、パルス信号（第１の信号）は上述のような経路で流れない。加えて、通信線コネクタ１９が負荷装置２（又は充電装置２）側の通信線コネクタ２４に接続された状態で、電力線コネクタ１８が別の充電装置側の電力コネクタに接続された場合、パルス信号（第１の信号）は上述のような経路で流れない。パルス信号（第１の信号）が上述したような経路を通って流れない場合、信号入力端ＴＩＮにパルス信号が入力せず、信号入力端ＴＩＮにおける電圧レベルは常時低くなる。パルス信号が入力せずに信号入力端ＴＩＮにおける電圧レベルが常時低くなると、制御部１２は、電力線コネクタ１８を介して出力された信号（第１の信号）が通信線コネクタ１９を介して入力したことを検知しない。そこで、制御部１２はスイッチ１４をオフにする（又は、オフ状態を維持する）。スイッチ１４がオフ状態であると、二次電池１１は、電力線コネクタ１８に接続された充電装置により充電されない。
【００７９】
したがって、第３の実施形態に従った蓄電装置によれば、対応しない充電装置が蓄電装置に接続された場合に二次電池が充電されることを防止できる。また、第３の実施形態に従った蓄電装置では、検知回路に常時電流を流さなくてもパルス信号を出力すれば足りるため、検知回路（例えば、発光素子）を動作させるための消費電力を低減することができる。
【００８０】
なお、図３に示した構成例のように、第４の実施形態に従った蓄電装置においても、通信線コネクタ１９を介して出力された信号（第１の信号）が電力線コネクタ１８を介して入力したことを制御部１２が検知するように、蓄電装置を構成してもよい。こうした構成によっても、上述した効果を得ることができる。
【００８１】
＜第５の実施形態＞
図８は、第５の実施形態に従った蓄電装置、及び対応する負荷装置又は充電装置の構成例を示す図である。なお、図８において、図１〜図６に示す構成要素と同じ構成要素には図１〜図６で付した参照符号と同じ参照符号が付されている。また、図８に示す構成例においても、図２を参照しながら上述したように、第１の電源１５及び第２の電源１６は電源ＰＳに一体化されてもよい。
【００８２】
蓄電装置１００は、保護回路ＰＣを更に含む。保護回路ＰＣは、例えば、ツェナーダイオード又はバリスタといったサージアブソーバである。保護回路ＰＣの一端は、低電位電源線ＬＰＳＬ（図８では、第２の低電位電源線ＬＰＳＬ２）に接続し、保護回路ＰＣの他端は、低電位電力線ＬＥＰＬに接続する。
【００８３】
図８に示す構成例においても、電力線コネクタ１８及び通信線コネクタ１９が同一の負荷装置２（又は充電装置２）側の電力線コネクタ２３及び通信線コネクタ２４に夫々接続されると、制御部１３は、スイッチ１４をオンにする。一方、電力線コネクタ１８及び通信線コネクタ１９の少なくとも一方が未接続状態であると、制御部１３は、スイッチ１４をオフにする。また、通信線コネクタ１９が負荷装置２（又は充電装置２）側の通信線コネクタ２４に接続された状態で、電力線コネクタ１８が別の充電装置側の電力コネクタに接続された場合にも、制御部１３は、スイッチ１４をオフにする。
【００８４】
例えば、電力線コネクタ１８及び通信線コネクタ１９が同一の負荷装置２側の電力線コネクタ２３及び通信線コネクタ２４に夫々接続され、スイッチ１４がオンにされると、二次電池１１から負荷２１に電力が供給される。この場合、二次電池１１からの出力電流は、次のような経路で流れる。すなわち、二次電池１１からの出力電流は、蓄電装置１００において、二次電池１１→高電位電力線ＬＥＰＨ→電力線コネクタ１８という経路で流れる。そして、二次電池１１からの出力電流は、負荷装置２において、電力線コネクタ２３→高電位電力線ＬＥＰＨ→負荷２１→低電位電力線ＬＥＰＬ→電力線コネクタ２３という経路で流れる。さらに、二次電池１１からの出力電流は、蓄電装置１００において、電力線コネクタ２３→低電位電力線ＬＥＰＬ→スイッチ１４→二次電池１１という経路で流れる。
【００８５】
二次電池１１から負荷２１に上述したように電力が供給されている状態で、何らかの原因で電力線コネクタ２３が電力線コネクタ１８から抜去されたと仮定する。何らかの原因としては、例えば、電力線コネクタ２３を電力線コネクタ１８から抜去するための操作スイッチ（不図示）がユーザにより押下されたこと等が挙げられる。この仮定において、電力線コネクタ１８の正極端子が電力線コネクタ２３の正極端子から抜去されるタイミングよりも僅かに早く、電力線コネクタ１８の負極端子が電力線コネクタ２３の負極端子から抜去されることがある。すなわち、電力線コネクタ１８の正極端子が電力線コネクタ２３の正極端子と接続されつつ、電力線コネクタ１８の負極端子が電力線コネクタ２３の負極端子から抜去された状態が僅かな時間生じ得る。この場合、保護回路ＰＣがないと、二次電池１１からの出力電流は、突発的な大電流となって、次のような経路で負荷２１から二次電池１１に戻る。すなわち、突発的な大電流は、負荷２１→中継線ＬＲ→低電位電源線ＬＰＳＬ（図８では、第２の低電位電源線ＬＰＳＬ２）→通信線コネクタ２４という経路で流れる。そして、突発的な大電流は、通信線コネクタ１９→低電位電源線ＬＰＳＬ（図８では、第２の低電位電源線ＬＰＳＬ２）→電源ＰＳ（図８では、第２の電源１６）という経路で流れる。さらに、突発的な大電流は、電源ＰＳ（図８では、第２の電源１６）→高電位電源線ＬＰＳＨ（図８では、第２の高電位電源線ＬＰＳＨ２）→発光素子ＬＥＤ→低電位電力線ＬＥＰＬ→スイッチ１４→二次電池１１という経路で流れる。この結果、突発的な大電流によって発光素子ＬＥＤ等の信号経路上の回路素子が損傷する虞がある。
【００８６】
しかしながら、図８に示す構成例では、上述したような突発的な大電流が低電位電源線ＬＰＳＬ（図８では、第２の低電位電源線ＬＰＳＬ２）に流れ、低電位電力線ＬＥＰＬと低電位電源線ＬＰＳＬとの電位差が所定値を越えると、保護回路ＰＣが導通する。この結果、通信線コネクタ１９を介して負荷２１から流入した突発的な大電流は、低電位電源線ＬＰＳＬ（図８では、第２の低電位電源線ＬＰＳＬ２）→保護回路ＰＣ→低電位電力線ＬＥＰＬ→スイッチ１４→二次電池１１という経路で二次電池１１に戻る。このため、突発的な大電流は、発光素子ＬＥＤ等の回路素子には流れない。
【００８７】
したがって、第５の実施形態に従った蓄電装置によれば、蓄電装置の電力線コネクタが負荷装置の電力線コネクタから抜去された場合に発生し得る突発的な大電流から、信号経路上の回路素子（例えば、検出回路の発光素子）を保護することができる。なお、第５の実施形態に従った蓄電装置によっても、対応しない充電装置が蓄電装置に接続された場合に二次電池が充電されることを防止できる。
【００８８】
本発明は、以上の実施の形態に限定されるものでなく、本発明の要旨を逸脱しない範囲内で種々の改良、変更が可能である。例えば、上述した複数の実施形態は必要に応じて組み合わされてもよい。
【符号の説明】
【００８９】
１、３、５、７、９、１０、１００    蓄電装置
１１    二次電池
１２    制御部
１３    通信回路
１４    スイッチ
１５    第１の電源
１６    第２の電源
１７    電流センサ
１８    電力線コネクタ
１９、３９、５９、７９    通信線コネクタ
Ｃ１    第１のコンデンサ
Ｃ２    第２のコンデンサ
Ｄ    逆流防止ダイオード
ＬＥＤ  発光素子
ＬＥＤ１    第１の発光素子
ＬＥＤ２    第２の発光素子
ＯＳ    光半導体
ＯＳ１    第１の光半導体
ＯＳ２    第２の光半導体
ＰＣ    保護回路
ＰＤ    受光素子
ＰＤ１    第１の受光素子
ＰＤ２    第２の受光素子
ＰＳ    電源
ＲＬ１    第１の制限抵抗
ＲＬ２    第２の制限抵抗
ＲＤ、ＲＤ´    検知抵抗
ＲＰＵ    プルアップ抵抗
ＲＰＤ    プルダウン抵抗
ＴＩＮ    信号入力端
ＴＩＮ１    第１の信号入力端
ＴＩＮ２    第２の信号入力端
ＴＯＵＴ    信号出力端
２、４、６、８    負荷装置又は充電装置
２１    負荷又は電力変換装置
２２    通信回路
２３    電力線コネクタ
２４、４４、６４、８４    通信線コネクタ
ＬＲ    中継線
ＬＪ    ジャンパ線
ＬＥＰ    電力線
ＬＥＰＨ    高電位電力線
ＬＥＰＬ    低電位電力線
ＬＰＳ    電源線
ＬＰＳＨ    高電位電源線
ＬＰＳＬ    低電位電源線
ＬＰＳ１    第１の電源線
ＬＰＳＨ１    第１の高電位電源線
ＬＰＳＬ１    第１の低電位電源線
ＬＰＳ２    第２の電源線
ＬＰＳＨ２    第２の高電位電源線
ＬＰＳＬ２    第２の低電位電源線
ＬＣ    通信線
ＬＤ    検知線
ＬＤＨ    高電位検知線
ＬＤＬ    低電位検知線
Ｒ    抵抗
【図１】
2018064357.tif 000003
【図２】
2018064357.tif 000004
【図３】
2018064357.tif 000005
【図４】
2018064357.tif 000006
【図５】
2018064357.tif 000007
【図６】
2018064357.tif 000008
【図７】
2018064357.tif 000009
【図８】
2018064357.tif 000010